(57)【要約】【課題】  適切な大きさの画像を印刷媒体へ印刷させることができる印刷制御装置、印刷制御方法、およびプログラムを提供する。【解決手段】  印刷媒体のサイズをセンサが検出することで得られた当該印刷媒体のサイズの候補であり且つ印刷媒体のサイズを特定するための複数の条件の組み合わせに対応する候補に基づく大きさの画像を、印刷手段に前記印刷媒体へ印刷させる。【選択図】  図７
2015009481.tif 000002
【特許請求の範囲】
【請求項１】
印刷媒体のサイズをセンサが検出することで得られた当該印刷媒体のサイズの１または複数の候補を取得する取得手段と、
前記取得手段により取得された候補であって且つ印刷媒体のサイズを特定するための複数の条件の組み合わせに対応する候補に基づく大きさの画像を、印刷手段に前記印刷媒体へ印刷させる印刷制御手段と、
を有することを特徴とする印刷制御装置。
【請求項２】
所定の複数の条件のうちの前記取得手段により取得された複数の候補から印刷媒体のサイズの絞り込みが可能な複数の条件を用いて、当該複数の候補から当該複数の条件の組み合わせに対応する候補を特定する特定手段を有し、
前記印刷制御手段は、前記特定手段により特定された候補に基づく大きさの画像を印刷させることを特徴とする請求項１に記載の印刷制御装置。
【請求項３】
前記特定手段は、前記所定の複数の条件のそれぞれを順次用いることで、当該所定の複数の条件のうちの前記複数の候補から絞り込みが可能な複数の条件の組み合わせに対応する候補を特定することを特徴とする請求項２に記載の印刷制御装置。
【請求項４】
前記特定手段は、第１の条件を用いて前記複数の候補から候補を絞り込み、当該第１の条件による絞り込みにより候補が１つに絞り込めなかった場合に第２の条件を用いて絞り込むことで、当該第１の条件と当該第２の条件の組み合わせに対応する候補を特定することを特徴とする請求項３に記載の印刷制御装置。
【請求項５】
前記特定手段は、前記複数の候補に応じて、前記所定の複数の候補から絞り込みが可能な複数の条件を決定し、当該決定された複数の条件の組み合わせに対応する候補を特定することを特徴とする請求項２に記載の印刷制御装置。
【請求項６】
前記特定手段は、前記複数の条件の組み合わせにより前記複数の候補から１つの候補が絞り込めなかった場合、印刷媒体のサイズの所定の優先順序に応じて１つの候補を特定することを特徴とする請求項２乃至５のいずれか１項に記載の印刷制御装置。
【請求項７】
前記印刷手段における印刷に用いられる印刷媒体のサイズの、当該印刷手段による印刷に用いられた使用頻度を判定する判定手段を有し、
前記所定の優先順序は、印刷媒体の複数のサイズのそれぞれに対応する前記判定手段により判定された使用頻度に基づく順序であることを特徴とする請求項６に記載の印刷制御装置。
【請求項８】
前記複数の条件は、前記印刷制御装置に対応する国または地域を示す仕向け情報と、前記印刷手段による印刷に用いられる印刷媒体の種別の少なくとも一方に対応する条件であることを特徴とする請求項１乃至７のいずれか１項に記載の印刷制御装置。
【請求項９】
前記印刷制御手段は、前記仕向け情報が示す国または地域と前記複数の候補に対応する国または地域とに対応する候補に基づく大きさの画像を印刷させることを特徴とする請求項８に記載の印刷制御装置。
【請求項１０】
前記印刷制御装置が備えるメモリから前記仕向け情報を入力することを特徴とする請求項８または９に記載の印刷制御装置。
【請求項１１】
前記仕向け情報は、前記印刷制御装置において登録されている言語を示す言語情報であり、前記印刷制御手段は、当該言語情報が示す言語と前記複数の候補に対応する国または地域とに対応する候補に基づく大きさの画像を印刷させることを特徴とする請求項８乃至１０のいずれか１項に記載の印刷制御装置。
【請求項１２】
前記印刷手段は、印刷媒体を印刷ヘッドに対応する位置に搬送して当該搬送された印刷媒体に対して印刷ヘッドにより印刷を実行し、前記センサは、当該印刷ヘッドに対応する位置に設けられ、印刷媒体が搬送されたときに当該印刷媒体のサイズを検出することを特徴とする請求項１乃至１１のいずれか１項に記載の印刷制御装置。
【請求項１３】
前記取得手段は、印刷媒体の幅をセンサが検出することで得られた当該印刷媒体のサイズの１または複数の候補を取得することを特徴とする請求項１乃至１２のいずれか１項に記載の印刷制御装置。
【請求項１４】
印刷媒体のサイズをセンサが検出することで得られた当該印刷媒体のサイズの１または複数の候補を取得する取得工程と、
前記取得工程において取得された候補であって且つ印刷媒体のサイズを特定するための複数の条件の組み合わせに対応する候補に基づく大きさの画像を、印刷手段に前記印刷媒体へ印刷させる印刷制御工程と、
を有することを特徴とする印刷制御方法。
【請求項１５】
請求項１４に記載の印刷制御方法をコンピュータに実行させるためのプログラム。
【発明の詳細な説明】
【技術分野】
【０００１】
本発明は、画像を印刷媒体へ印刷させる印刷制御装置、印刷制御方法、およびプログラムに関する。
【背景技術】
【０００２】
印刷装置において印刷が実行されるときに、印刷装置において使用される用紙の幅を印刷装置が備えるセンサが検出し、センサにより検出された用紙の幅に合わせて印刷対象の画像を変倍する技術がある。
【０００３】
特許文献１には、印刷装置の用紙カセットに格納されている用紙の幅と長さを印刷装置が検知し、検知された幅と長さに対応する複数の用紙サイズを特定することが記載されている。またそのように特定された複数の用紙サイズにおいて、印刷装置の仕向け地に応じた所定の優先順位に従って用紙サイズを一意に特定することが記載されている。
【先行技術文献】
【特許文献】
【０００４】
【特許文献１】特開平６−７２５６２号公報
【発明の概要】
【発明が解決しようとする課題】
【０００５】
しかしながら特許文献１では所定の優先順位に従って用紙サイズを特定するため、適切な用紙サイズを特定することができない場合がある。
【０００６】
例えば特許文献１において、複数の用紙サイズが印刷用紙のサイズの候補として特定された場合、上記の優先順位において順位が最も高い候補が必ず特定されてしまう。例えば、印刷用紙のサイズＡ、サイズＢ、サイズＣについて、印刷装置のある仕向け地ではサイズＡが最も優先順位が高かったとする。このとき仮にユーザが印刷装置にサイズＢやサイズＣの印刷用紙をセットしたとしても、特許文献１に記載の技術によれば、サイズＡ、サイズＢ、サイズＣが候補となった場合、優先順位の最も高いサイズＡが必ず選ばれてしまう。よって、ユーザがサイズＢ、サイズＣの印刷用紙を印刷装置にセットしたにもかかわらず、サイズＡが印刷用紙のサイズとして特定されてしまい、サイズＡに応じた大きさの画像がサイズＢ、サイズＣの印刷用紙に印刷されてしまうことがある。このように、特許文献１に記載の技術によれば、所定の優先順位のおける順位が低いサイズの印刷用紙が印刷装置にセットされた場合、適切な印刷を行えないことがある。
【０００７】
本発明は上記の課題を解決するためになされたものであり、適切な大きさの画像を印刷媒体へ印刷させることができる印刷制御装置、印刷制御方法、およびプログラムを提供することを目的とする。
【課題を解決するための手段】
【０００８】
上記の課題を解決するために本発明の印刷制御装置は、印刷媒体のサイズをセンサが検出することで得られた当該印刷媒体のサイズの１または複数の候補を取得する取得手段と、前記取得手段により取得された候補であって且つ印刷媒体のサイズを特定するための複数の条件の組み合わせに対応する候補に基づく大きさの画像を、印刷手段に前記印刷媒体へ印刷させる印刷制御手段と、を有することを特徴とする。
【発明の効果】
【０００９】
本発明によれば、印刷媒体のサイズをセンサが検出することで得られた当該印刷媒体のサイズの候補であり且つ印刷媒体のサイズを特定するための複数の条件の組み合わせに対応する候補に基づく大きさの画像が印刷される。そのため、適切な大きさの画像を印刷媒体へ印刷させることができる。
【図面の簡単な説明】
【００１０】
【図１】印刷装置１００が備える印刷機構を示す図である。
【図２】用紙センサ１１８による用紙幅の検出を説明するための図である。
【図３】印刷装置１００の構成を示すブロック図である。
【図４】本実施形態における用紙サイズテーブルを示す図である。
【図５】ＣＰＵ２０１による印刷制御処理の一例を示すフローチャートである。
【図６】用紙サイズと優先度の関係を示す図である。
【図７】図５のＳ１００６におけるフィッティング処理を示すフローチャートである。
【図８】コピー機能における印刷制御処理の一例を示すフローチャートである。
【発明を実施するための形態】
【００１１】
以下、本発明の実施形態の一例について詳細に説明する。
【００１２】
図１は、本実施形態における印刷装置１００が備える印刷機構を示す図である。給紙トレイ１０１には印刷用紙が格納されている。給紙ローラ１０３は、給紙トレイ１０１に格納されている印刷用紙を搬送ローラ１０５、１０６に給紙する。印刷用紙１０４は、給紙ローラ１０３により給紙され、搬送ローラ１０５、１０６により搬送されている印刷用紙である。図１のように、印刷用紙１０４は、搬送ローラ１０５、１０６により部材１０７、１０８による搬送路を通り、搬送ローラ１０９、１１０へ搬送される。搬送ローラ１０９、１１０は、印刷用紙１０４をプラテン１１１に搬送する。
【００１３】
またプラテン１１１の上部には印刷ヘッド１１２を搭載したキャリッジ１１３が設けられている。キャリッジ１１３は、ガイドレール１１４に沿って図１に示すＡ方向（図１中手前から奥に向かう方向）、Ｂ方向（図１中奥から手前に向かう方向）に往復走査する。印刷装置１００は、キャリッジ１１３をＡ方向、Ｂ方向に走査させながら、印刷ヘッド１１２に駆動パルスを印加することにより印刷ヘッド１１２からインク等の記録剤を吐出させる。このように印刷ヘッド１１２から印刷用紙１０４に記録剤が吐出されることで、印刷用紙１０４に印刷対象の画像が印刷される。画像が印刷された印刷用紙１０４はさらに搬送ローラ１０９、１１０により、排紙ローラ１１５、１１６に搬送される。排紙ローラ１１５、１１６は印刷用紙１０４を、排紙トレイ１１７に排紙する。
【００１４】
またキャリッジ１１３には、反射型の光学センサである用紙センサ１１８が設けられている。印刷装置１００は、この用紙センサ１１８が受光した光の強さを示す出力レベル（出力電圧）を取得し、その出力レベルが印刷用紙からの反射光に対応するレベルであるか判定することにより、当該受光された位置に印刷用紙が存在するか検出することができる。また上記のように、用紙センサ１１８はキャリッジ１１３に設けられており、印刷ヘッド１１２とともに走査される。そして印刷装置１００は、用紙センサ１１８の走査が行われる範囲について印刷用紙１０４が存在するか検出することで、当該走査の範囲における印刷用紙の端部を判定することができる。そして当該印刷用紙の左右の端部間の距離に基づいて、当該印刷用紙の幅を検出することができる。この検出処理の詳細について図２を用いて説明する。用紙センサ１１８（キャリッジ１１３）の走査位置は後述するエンコーダ２２４によって検出される。
【００１５】
印刷装置１００は、上記の給紙トレイ１０１、プラテン１１１、印刷ヘッド１１２、キャリッジ１１３、ガイドレール１１４、排紙トレイ１１７、また上記の各種のローラを印刷機構として備える。
【００１６】
図２は、用紙センサ１１８による用紙幅の検出を説明するための図である。
【００１７】
上記のように、印刷装置１００はキャリッジ１１３をガイドレール１１４に沿って矢印Ａ方向、Ｂ方向に往復移動させながら印刷ヘッド１１２に記録剤を吐出させることにより、印刷用紙１０４上に画像を印刷する。またキャリッジ１１３の移動範囲においてプラテン１１１から外れた位置には、印刷ヘッド１１２のキャッピングを行うためにヘッド回復機構１１９が設けられている。
【００１８】
また用紙センサ１１８はプラテン１１１上を走査しながら光を受光し、受光された光の出力レベルを検出する。図２に示すグラフは、キャリッジ１１３の移動範囲（用紙センサの位置ｘ）において用紙センサ１１８が検出した出力レベルを示す。用紙センサの位置ｘは、後述するエンコーダ２２４により検出されたキャリッジ１１３の位置により特定される。なお本実施形態においては、印刷用紙は白色等の明るい色であり、プラテン１１１は黒色等の暗い色である。よって印刷用紙がプラテン１１１に存在する位置については高い出力レベル（印刷用紙からの強い反射光）が取得され、印刷用紙が存在しない位置については低い出力レベル（プラテン１１１からの弱い反射光）が検出される。
【００１９】
用紙センサ１１８は、キャリッジ１１３がヘッド回復機構１１９の位置にいるときにプラテン１１１における位置Ｅの反射光を受光する。そして、キャリッジ１１３がＡ方向に向かって移動すると、印刷用紙１０４の端部に対応する位置で出力レベルが上がる。そして、印刷用紙１０４の端部から反対側の端部までは、およそ一定の出力レベルが取得され、端部において出力レベルが下がる。
【００２０】
本実施形態においては、用紙センサ１１８の出力レベルが所定の閾値Ｖｔｈを超える場合に、当該出力レベルが検出された位置に印刷用紙１０４が存在するものと判定する。具体的には、図２における位置Ｇ、位置Ｆが印刷用紙１０４の端の位置であり、位置Ｇ〜位置Ｆまでの範囲を、印刷用紙１０４が存在する範囲とする。そして、位置Ｇ〜位置Ｆの距離を、印刷用紙１０４の用紙幅として検出する。
【００２１】
なお本実施形態において印刷装置１００は、印刷用紙の中心がプラテン１１１の中央位置Ｃとなるように、印刷用紙１０４を中央寄せで搬送する。このとき仮に印刷用紙１０４が大きく、図２において印刷用紙１０４の右端が位置Ｅよりも右側であった場合、印刷用紙１０４の右端の位置を検出できないことがある。
【００２２】
そこで本実施形態において印刷装置１００は、印刷用紙１０４の右端の位置が位置Ｅよりも右にある場合、中央位置Ｃと印刷用紙１０４の左端の位置Ｇとの距離により、印刷用紙１０４の用紙幅を判定する。具体的には、まず位置Ｅにおける出力レベルがＶｔｈを超える場合、印刷用紙１０４の右端の位置が位置Ｅもしくは位置Ｅよりも右側であると判定される。このように判定された場合、中央位置Ｃと位置Ｇの距離を２倍した長さが、印刷用紙１０４の用紙幅として検出される。即ち、印刷装置１００は印刷用紙１０４の中心が中央位置Ｃとなるように印刷用紙１０４を搬送するため、中央位置Ｃと印刷用紙１０４の左端の位置Ｇとの距離が用紙幅の半分の長さとなる。よって印刷装置１００は、中央位置Ｃと位置Ｇとの距離を２倍した長さを用紙幅として検出することができる。なお、キャリッジの走査範囲における中央位置Ｃを示す値が印刷装置１００内のメモリに予め記憶されており、印刷装置１００はこの値を参照することで、中央位置Ｃと位置Ｇとの距離を求めることができる。
【００２３】
なお、上記の閾値Ｖｔｈは固定の値でなくてもよく、例えば位置Ｅにおける出力レベルに応じて閾値を変更する場合であってもよい。また印刷媒体の表面の特性による反射光の強さに応じて閾値Ｖｔｈを決定してもよい。具体的には、印刷に用いられる用紙の種別（普通紙、光沢紙等）に応じて、閾値Ｖｔｈを変更する。さらに、印刷用紙の有無を検出する方法として、上記のように出力レベルが閾値を超えるか判定する方法でなく、位置Ｅにおける出力レベルと他の位置における出力レベルの比較結果から印刷用紙の有無を検出してもよい。例えば、位置Ｅの出力レベルにより位置Ｅにおいて印刷用紙が存在しないと判定した場合に、その出力レベルから所定値以上大きな出力レベルの位置に印刷用紙が存在すると判定してもよい。
【００２４】
また、図２の方法では、キャリッジ１１３に用紙センサ１１８を設け、用紙センサ１１８が移動しながら検出を行う例について説明したが、これに限らない。例えばプラテン１１１上にキャリッジ１１３とは個別に用紙センサが設けられる場合であってもよい。この場合、印刷用紙の搬送路の幅に対応する数の用紙センサを並べて配置し、各用紙センサが印刷用紙の存在を検出したか判定することにより、印刷用紙の幅を判定することができる。
【００２５】
次に、印刷装置１００の構成を説明する。図３は、印刷装置１００の構成を示すブロック図である。
【００２６】
ＣＰＵ２０１は、印刷装置１００を制御するプロセッサである。ＣＰＵ２０１は内部バス２０２を介して、ＲＯＭやハードディスク等のプログラムメモリ２０３とＲＡＭ等のデータメモリ２０４と接続されている。プログラムメモリ２０３には、印刷装置１００を制御するためのプログラムが格納されている。ＣＰＵ２０１は、プログラムメモリ２０３に格納されているプログラムをデータメモリ２０４に読み出し、データメモリ２０４に割り当てられているワークメモリ２０５上で実行することにより、印刷装置１００を制御することができる。またデータメモリ２０４には、画像メモリ２０６も割り当てられており、印刷装置１００において印刷される画像データなどの各種のデータがＣＰＵ２０１により画像メモリ２０６に展開される。
【００２７】
インタフェース制御部２０７は、ＣＰＵ２０１の制御によりインタフェースを介してスマートフォン等のスマートデバイス２０８と通信を行う。例えば、スマートデバイス２０８から印刷対象のジョブを受信し、また印刷装置１００のステータス情報をスマートデバイス２０８へ通知することができる。なお、インタフェース制御部２０７は、ＵＳＢ（Ｕｎｉｖｅｒｓａｌ  Ｓｅｒｉａｌ  Ｂｕｓ）ケーブル等の有線のインタフェースを介して通信を行ってもよいし、または赤外線通信や無線ＬＡＮ等の無線インタフェースを介して通信を行ってもよい。なお、スマートデバイス２０８は、例えばスマートフォンやタブレット端末である。また携帯電話やＰＤＡ等の携帯端末が、本実施形態におけるスマートデバイス２０８として動作してもよい。
【００２８】
また通信相手は、スマートデバイス２０８に限らずパーソナルコンピュータであってもよい。その他、ネットワークを介して接続されたサーバであってもよいし、電話回線を介して接続されたファクシミリ装置や、デジタルテレビ等の装置であってもよい。また、印刷ジョブに印刷対象のデータが含まれている場合に限らず、印刷ジョブに含まれているアドレス情報に従って印刷装置１００がサーバ等の外部装置から印刷対象のデータを取得する場合であってもよい。
【００２９】
モータ制御部２０９はＣＰＵ２０１による制御により、印刷装置１００の印刷機構を駆動するための各種モータを制御する。搬送モータ２１０は、モータ制御部２０９の制御に従って、図１で示した給紙ローラ１０３、搬送ローラ１０５、１０６、１０９、１１０、排紙ローラ１１５、１１６を駆動する。キャリッジモータ２１１（ＣＲモータ）は、モータ制御部２０９の制御に従ってキャリッジ１１３を駆動し、キャリッジ１１３を往復移動させる。また回復モータ２１２は、モータ制御部２０９の制御に従ってヘッド回復機構１１９を駆動する。
【００３０】
ヘッド制御部２１３は、ＣＰＵ２０１の制御に従って印刷ヘッド１１２を制御し、印刷ヘッド１１２にインク等の記録剤を吐出させる。ＣＰＵ２０１は印刷ヘッド１１２と搬送モータ２１０を共に駆動させることで、印刷ヘッド１１２を走査させながら印刷用紙に画像を印刷させる。即ち、印刷装置１００内のＣＰＵ２０１が印刷制御装置として動作し、印刷機構としての各種のモータ、印刷ヘッド１１２を制御して、当該印刷機構に画像を印刷させる。
【００３１】
センサ制御部２１４は、ＣＰＵ２０１の制御に従って、用紙センサ１１８に含まれるセンサ光源２１５を発光させ、また用紙センサ１１８が備える光学センサ２１６に反射光を受光させる。またセンサ制御部２１４は、光学センサ２１６が受光した光の強さを示す出力レベルを取得する。ＣＰＵ２０１は、センサ制御部２１４が取得した出力レベルを取得することで、図２で示した用紙幅の判定を行うことができる。なお、ＣＰＵ２０１は後述する処理により、上記のように判定された用紙幅に応じて、用紙長も含めた用紙サイズを判定する。
【００３２】
パネル制御部２１７は、ＣＰＵ２０１の制御に従って、操作パネル２１８を制御する。なお、操作パネル２１８は、キーやタッチパネルなどユーザが操作を行う操作デバイスと、画像等の各種の情報を表示できる表示パネルを含む。例えばユーザが操作パネル２１８の操作デバイスを操作すると、ユーザの指示がパネル制御部２１７に入力され、その指示がさらにＣＰＵ２０１に入力される。またパネル制御部２１７がＣＰＵ２０１の指示に応じて、画像メモリ２０６に展開されている画像を操作パネルの表示パネルに表示する。
【００３３】
スキャナ制御部２１９は、ＣＰＵ２０１の制御に従って、スキャナ２２０を制御し、スキャナ２２０の原稿台に載置されている原稿をスキャナ２２０に読み取らせ、その読取画像を入力する。またスキャナ制御部２１９を画像メモリ２０６に格納する。メモリカード制御部２２１は、ＣＰＵ２０１の制御により、メモリカードスロット２２２に装着されたメモリカード２２３に対して各種のデータの書き込み、読み出しを行う。
【００３４】
エンコーダ２２４は、ガイドレール１１４に沿ってキャリッジ１１３が走査するときのキャリッジ１１３の位置を特定する。ＣＰＵ２０１は、エンコーダ２２４により特定されたキャリッジ１１３の位置と、キャリッジ１１３における用紙センサ１１８の取り付け位置により、図２に示した用紙センサの位置ｘを特定する。
【００３５】
本実施形態においてＣＰＵ２０１は、上記のように用紙センサ１１８により判定された用紙幅に応じて、用紙長も含めた用紙サイズを判定する。なお、本実施形態の印刷装置１００は、用紙センサ１１８が印刷ヘッド１１２とともにキャリッジ１１３に設けられている。そして、キャリッジ１１３を移動させるための各種のモータやガイドレール１１４、キャリッジ１１３の位置を特定するためのエンコーダ２２４等の部材は、印刷ヘッド１１２による印刷と用紙センサ１１８による用紙幅の検出の両方に共通して用いられる。そのため、印刷のための部材とは別に、用紙幅の検出のために上記の部材を設けなくてもよく、印刷装置１００が大型化してしまうことを防ぐことができる。
【００３６】
図４は、本実施形態における用紙サイズテーブルを示す図である。図４（ａ）の用紙サイズ管理テーブルは、印刷装置１００で使用され得る用紙サイズ３００と、当該サイズの用紙幅３０１、用紙長３０２、縦横比（アスペクト比）３０３が含まれている。なお、用紙幅３０１、用紙長３０２の単位はミリメートル（ｍｍ）である。
【００３７】
なお用紙サイズテーブルはプログラムメモリ２０３に格納されており、ＣＰＵ２０１は、プログラムメモリ２０３からデータメモリ２０４に用紙サイズテーブルを読み出すことで用紙サイズテーブルを参照することができる。なお、用紙幅３０１の情報はテーブル形式で保持される場合に限らず、用紙サイズに対応付けて用紙幅３０１を記憶する種々の方法が採用される。
【００３８】
本実施形態においてＣＰＵ２０１は、用紙センサ１１８により検出された用紙幅に応じて印刷用紙のサイズを判定する。具体的には、ＣＰＵ２０１は用紙サイズテーブルにおいて、用紙センサ１１８により検出された用紙幅の所定範囲内にある用紙幅３０１を持つ用紙サイズ３００を、印刷装置１００において搬送されている印刷用紙１０４のサイズとして特定する。このように所定の範囲を設ける理由は、例えば印刷用紙の状態や印刷装置１００が置かれている環境によって印刷用紙からの反射光の強さが異なるために、用紙センサ１１８の検出結果と実際の用紙幅の間に誤差が生じる場合があるからである。
【００３９】
そこで例えば上記所定の範囲を上下３ｍｍとして、用紙センサ１１８により用紙幅として１２６．０ｍｍが検出された場合、１２３．０ｍｍ〜１２９．０ｍｍに含まれる用紙幅３０１に対応する用紙サイズ３００を、印刷用紙のサイズの候補として特定する。図４（ａ）の用紙サイズテーブルに示されているように、この場合、用紙幅３０１（１２７．０ｍｍ）に対応する２Ｌ判が候補として特定される。
【００４０】
またこのように用紙サイズが一意に特定される場合に限らず、用紙幅が近い複数の用紙サイズが、当該印刷媒体のサイズの候補として特定される場合がある。例えば用紙センサ１１８により用紙幅として９９．０ｍｍが検出された場合、用紙幅の範囲９６．０ｍｍ〜１０２．０ｍｍに封筒洋形６号（用紙幅  ９８．０ｍｍ）、はがき（用紙幅  １００．０ｍｍ）、４×６判（用紙幅  １０１．６ｍｍ）が含まれる。同様に、用紙幅として２１３．０ｍｍが検出された場合、Ａ４サイズ（用紙幅  ２１０．０ｍｍ）とレター（用紙幅  ２１５．９ｍｍ）が用紙サイズの候補として特定される。
【００４１】
本実施形態では、このように印刷用紙１０４の用紙サイズとして複数の候補が特定された場合、印刷装置１００の仕向け情報に応じて、印刷用紙１０４の用紙サイズを判定する。この用紙サイズ判定処理の詳細については、図５〜図８を用いて後述する。
【００４２】
なお、図２を用いて説明したように、本実施形態においては印刷用紙１０４が大きい場合に印刷用紙１０４の片端が用紙センサ１１８により検出されないことがあり、このとき中央位置Ｃと位置Ｇとの距離に基づく計算により用紙幅が判定される。この場合、例えば印刷用紙１０４の特性等により、印刷用紙１０４の中心が中央位置Ｃから外れて搬送されてしまうことがある。よって、印刷用紙１０４の片端が検出されなかった場合には、上記所定の範囲を±３ｍｍではなく±１０ｍｍなど比較的広く設定するようにしてもよい。この場合、例えば用紙幅２１０ｍｍが検出されると、往復はがき（用紙幅  ２００．０ｍｍ）、六切（用紙幅  ２０３．２ｍｍ）、Ａ４サイズ（用紙幅  ２１０．０ｍｍ）とレター（用紙幅  ２１５．９ｍｍ）が用紙サイズの候補として特定される。
【００４３】
また上記の例では、用紙センサ１１８の検出結果である用紙幅を中心に、所定の範囲内（例えば±３ｍｍ）に含まれる用紙サイズを特定していた。しかしこれに限らず、検出結果よりも所定幅（例えば＋３ｍｍ）大きい範囲に含まれる用紙サイズを特定してもよいし、逆に所定幅小さな範囲に含まれる用紙サイズを特定してもよい。また印刷用紙の種別（普通紙、光沢紙）によって上記所定の範囲を変更するようにしてもよい。例えば印刷用紙が光沢紙の場合、普通紙の場合に比べて反射光が強い。このとき、本来は印刷用紙の位置ではない位置において用紙センサ１１８が取得した出力レベルが上記閾値Ｖｔｈを越えてしまい、当該位置に印刷用紙があるものと判定してしまう可能性がある。よって、例えば印刷用紙の種別が普通紙の場合には±３ｍｍの範囲を設定し、光沢紙の場合には、―６ｍｍの範囲を設定するようにしてもよい。その他、用紙センサ１１８の特定等、種々の条件に応じて上記所定の範囲を設定してよい。
【００４４】
また上記の説明では、図４（ａ）に示した用紙サイズテーブルを用いて用紙サイズの判定を行っていたが、別の例として、図４（ｂ）の用紙サイズテーブルを用いてもよい。
【００４５】
図４（ｂ）の用紙サイズテーブルは、図４（ａ）の用紙サイズテーブルに加えて、用紙幅が近い用紙を示す用紙情報３０４を含む。具体的には、テーブル内に記号（×）が記入されている用紙サイズが、テーブルにおいて当該用紙サイズに対応する用紙サイズと用紙幅が近いものである。例えばＡ４サイズとレターサイズは用紙幅が近いものとして用紙サイズテーブルにおいて指定されている。また封筒洋形６号、はがき、４×６判が、用紙幅が近いものとして指定されている。
【００４６】
ＣＰＵ２０１は、プログラムメモリ２０３からデータメモリ２０４に図４（ｂ）の用紙サイズテーブルを読み出すことで用紙幅３０１を参照することができる。そしてＣＰＵ２０１は、用紙センサ１１８により用紙幅が検出されたときに、検出された用紙幅に対応する用紙サイズを特定する。そして、用紙サイズテーブルにおいて当該用紙サイズに用紙幅が近い用紙サイズが指定されている場合には、その用紙幅が近い用紙サイズも含め、用紙サイズの複数の候補を特定する。
【００４７】
例えば、用紙センサ１１８により検出された用紙幅が９０．０ｍｍの場合、用紙サイズとしてＬ判が一意に特定される。一方、用紙センサ１１８により検出した用紙幅が９９．０ｍｍの場合、用紙サイズとして、当該検出された用紙幅に最も近いはがきサイズが特定され、さらにはがき以外にも、用紙情報３０４で指定されている封筒洋形６号、４×６判が特定される。
【００４８】
以上のようにＣＰＵ２０１は、図４（ａ）または図４（ｂ）の用紙サイズテーブルに基づき、用紙幅３０１に加えて用紙長３０２も含めた印刷用紙の用紙サイズを判定する。そして、ＣＰＵ２０１は、判定した用紙サイズに応じた印刷処理を実行する。
【００４９】
なお、上記のように、用紙センサ１１８により検出された用紙幅と用紙サイズテーブルにより、用紙サイズとして複数の候補が特定される場合がある。そこで本実施形態においてＣＰＵ２０１は、印刷装置１００の仕向け情報等の各種の条件に従って、印刷用紙のサイズを判定する。これにより、仮に上記のように用紙サイズを一意に特定できない場合でも、適切な用紙サイズを判定することができる。以下、用紙サイズ判定処理について詳細に説明する。
【００５０】
図５は、ＣＰＵ２０１による印刷制御処理の一例を示すフローチャートである。なお図５に示すフローチャートの処理に対応するプログラムがプログラムメモリ２０３に格納されている。ＣＰＵ２０１はこのプログラムをワークメモリ２０５に読み出し、ワークメモリ２０５上で実行することにより、図５に示すフローチャートの各ステップにおける処理を実現することができる。
【００５１】
Ｓ１０００でＣＰＵ２０１は、インタフェース制御部２０７を介して外部装置からの印刷ジョブを受信し、データメモリ２０４に格納する。なお、この印刷ジョブには、印刷装置１００における印刷対象となる画像等のデータと、当該データの印刷における用紙の種別等の印刷設定を示す印刷設定情報が含まれている。
【００５２】
Ｓ１０００において印刷ジョブが受信されると、ＣＰＵ２０１はＳ１００１において、印刷設定において設定されている用紙サイズ、当該印刷ジョブを送信した装置の種類、当該印刷ジョブに含まれている印刷対象のデータの種類を特定する。
【００５３】
なおＳ１００１でＣＰＵ２０１は、Ｓ１０００において受信された印刷ジョブに含まれている印刷設定情報を解析する。そして、その印刷設定情報内で当該印刷ジョブに対応する印刷対象のデータに対して設定されている印刷用紙の設定サイズ（設定用紙サイズ）を特定する。この印刷設定情報内の設定用紙サイズは、Ｓ１０００において受信された印刷ジョブを送信した装置（サーバやホストコンピュータ、スマートデバイスなど）により設定される。例えば、当該装置のユーザが当該装置の画面上で印刷用紙のサイズを指定すると、そのサイズを示すサイズ情報が設定用紙サイズとして印刷設定情報内に登録され、当該印刷設定情報を含む印刷ジョブがＳ１００１で受信される。Ｓ１００１では、例えばこのように設定された印刷用紙のサイズが特定される。
【００５４】
なお上記印刷設定情報は、印刷ジョブ内において、印刷対象のデータとは別の情報として印刷ジョブに含まれている。即ち、上記設定用紙サイズを示す情報についても、印刷対象のデータとは別に含まれている。またＤＰＯＦ  （Ｄｉｇｉｔａｌ  Ｐｒｉｎｔ  Ｏｒｄｅｒ  ｆｏｒｍａｔ）ファイルのように、設定用紙サイズを含む印刷設定情報が１つのファイルとして印刷装置１００に送信されてもよい。即ち、印刷対象のデータ（ＪＰＥＧファイル等）とは別のファイルとして印刷設定情報が印刷装置１００に送信されてもよい。
【００５５】
ただし、Ｓ１０００において受信された印刷ジョブを送信した装置や、当該印刷ジョブにおいて印刷指示を行ったアプリケーションによって、印刷設定情報に印刷用紙のサイズの設定情報が含まれている場合と、その設定情報が含まれていない場合がある。Ｓ１００１では、印刷用紙のサイズの設定情報が含まれている場合に、当該設定情報が示すサイズを上記の設定用紙サイズとして特定される。
【００５６】
また、装置の種類を判定する場合、例えば外部装置から印刷ジョブを受信したときの通信におけるプロトコルにより種類を判定してもよいし、当該外部装置から当該外部装置の種類を示す情報を受信し、当該情報により判定を行ってもよい。また印刷対象のデータの種類は、印刷対象のファイルの拡張子を確認することで判定されてもよいし、印刷ジョブを送信した装置から印刷対象のデータの種類を示す情報を印刷装置１００が受信し、その情報により判定処理を行うようにしてもよい。
【００５７】
Ｓ１００２では、Ｓ１００１において特定された装置の種類と印刷対象のデータの種類に応じて、印刷対象の画像の大きさを印刷装置１００に格納されている印刷用紙のサイズに合わせて印刷を行うフィッティング印刷を実行するか判定する。具体的には、Ｓ１００１において特定された装置の種類とデータの種類がそれぞれ所定の種類であるか判定し、当該所定の種類である場合に、フィッティング印刷を行うものと判定する。例えば印刷装置１００がサーバやホストコンピュータ、スマートデバイス２０８から印刷ジョブを受信可能である場合、スマートデバイス２０８を上記所定の種類の装置としてフィッティング印刷を実行する。また印刷対象のデータのファイル形式を確認し、ファイル形式が所定のファイル形式であるか判定するものとする。上記の所定の種類として、例えば印刷対象として写真が選ばれる可能性が高い装置、ファイル形式を上記の所定の種類として設定することで、写真についてより確実にフィッティング印刷を実行することができる。
【００５８】
印刷装置１００において印刷可能なファイルの形式として、ＪＰＥＧ形式、所定のラスターファイル形式、ＰＤＦ（Ｐｏｒｔａｂｌｅ  Ｄｏｃｕｍｅｎｔ  Ｆｏｒｍａｔ）が含まれているものとする。そして、ファイル形式の上記所定の種類は、例えばＪＰＥＧ形式や所定のラスター形式であり、Ｓ１００２では、Ｓ１００１において特定されたファイル形式が所定のファイル形式である場合、フィッティング印刷を実行すると判定する。一方、Ｓ１００１において特定されたファイル形式がＰＤＦである場合、フィッティング印刷を実行しないと判定する。
【００５９】
なお、Ｓ１００２では装置の種類と印刷対象のデータの種類の両方に基づいてフィッティング印刷を実行するか判定されているが、いずれかの種類により判定処理が行われてもよい。例えば撮影装置により撮影された画像のファイル形式としてＪＰＥＧ形式で画像がメモリに記憶されることがある。そこでＳ１００２では、印刷対象のデータがＪＰＥＧ形式である場合にフィッティング印刷を実行するよう判定処理を行ってもよい。
【００６０】
またＳ１００１において特定されＳ１００２における判定の条件となる情報は種々のものであってよい。例えば印刷装置１００の印刷モードがフィッティング印刷を行うモードであった場合に、フィッティング印刷を行うようにしてもよい。さらに、印刷装置１００が複数のインタフェースを備える場合には、Ｓ１００１における印刷ジョブの受信で使用されたインタフェースによりフィッティング印刷を行う判定してもよい。また印刷設定情報において「等倍印刷」が指定されている場合にはフィッティング印刷を行わないようにしてもよい。
【００６１】
また他の条件として、Ｓ１００１において受信された印刷ジョブに含まれている印刷設定情報において用紙サイズが指定されていなかった場合に、フィッティング印刷を行うようにしてもよい。このように用紙サイズが指定されていなかった場合とは、例えば用紙サイズを示す情報が印刷設定情報に含まれていなかった場合でもよいし、フィッティング印刷を指示するための情報が用紙サイズの情報として印刷設定情報に含まれている場合であってもよい。
【００６２】
さらに別の条件として、用紙センサ１１８による用紙幅の検出によりフィッティング印刷を行うことをユーザが画面上で指示したかに応じて、フィッティング印刷を行うか判定する場合であってもよい。例えば上記指示を行うためのチェックボックスを含む画面を印刷装置１００のＣＰＵ２０１が操作パネル２１８に表示させ、当該チェックボックスにユーザがチェックを入れた場合に、フィッティング印刷を行うようにする。他にも、印刷ジョブデータを印刷装置１００に送信する外部装置において上記の画面が表示され、ユーザがその外部装置においてフィッティング印刷を指示する場合でもよい。この場合、外部装置はフィッティング印刷を行わせるための情報を印刷ジョブデータの中に含ませて（または印刷ジョブデータに付加して）、印刷装置１００に送信する。印刷装置１００のＣＰＵ２０１は、Ｓ１００２において、外部装置から上記の情報が受信されたか否かにより、フィッティング印刷を行うか判定する。なお、操作パネル２１８または外部装置に表示される上記の画面は印刷前に予め表示され、印刷前にユーザが指示した内容が印刷実行時にＳ１００２において確認されることで、フィッティング印刷を行うか判定される。また他にも、上記の画面が印刷実行時に表示されて印刷実行時にユーザが指示を行う場合であってもよい。
【００６３】
さらにフィッティング印刷を行わせるためのユーザによる上記の指示がなかった場合、Ｓ１００１において特定された装置の種類と印刷対象のデータの種類に関わらず、フィッティング印刷を行わないようＳ１００２において判定してもよい。即ち、ユーザによる上記の指示があり、且つ装置の種類と印刷対象のデータの種類が所定の種類である場合に、フィッティング印刷を行うよう判定してもよい。
【００６４】
Ｓ１００２において、フィッティング印刷が実行されると判定された場合には、Ｓ１００３〜Ｓ１００６の処理が実行される。一方、フィッティング印刷が実行されると判定されなかった場合、Ｓ１００７に処理が遷移する。
【００６５】
Ｓ１００３でＣＰＵ２０１は、モータ制御部２０９、センサ制御部２１４により、キャリッジ１１３および用紙センサ１１８を駆動させ、図２を用いて説明した用紙幅検出を実行する。続くＳ１００４では、Ｓ１００３における用紙幅検出により検出された用紙幅を取得し、ワークメモリ２０５に用紙幅情報として記憶する。
【００６６】
次にＣＰＵ２０１はＳ１００５において、Ｓ１００４において記憶された用紙幅情報と図４の用紙サイズテーブルを参照して、印刷装置１００がサポートする定型用紙サイズのから１または複数の用紙サイズを印刷媒体のサイズの候補として特定する。上述のように、Ｓ１００４において記憶された用紙幅情報によっては、複数の用紙サイズが印刷媒体のサイズの候補として抽出される。なお、この抽出された用紙サイズ（群）は、候補用紙サイズ情報としてワークメモリ２０５に記憶される。
【００６７】
次にＣＰＵ２０１はＳ１００６において、印刷装置１００において搬送されている印刷媒体の大きさに合わせて印刷対象の画像を画像メモリ２０６上に作成するフィッティング処理を実行する。このフィッティング処理の詳細については図７を用いて説明する。
【００６８】
上記Ｓ１００２における判定においてフィッティング印刷が実行されると判定されなかった場合、Ｓ１００７の処理が実行される。Ｓ１００７においてＣＰＵ２０１は、印刷設定情報により指定されている印刷設定に従って印刷対象の画像を画像メモリ２０６上に作成する。例えば印刷ジョブに印刷対象の画像データが含まれており、印刷設定において印刷方法として「拡大／縮小印刷」、印刷用紙サイズとして「Ａ４サイズ」が設定されていた場合、画像データを展開し、展開された画像をＡ４サイズに合わせて変倍する。また印刷方法として「等倍印刷」が指定されていた場合には、上記変倍処理を行わずに印刷対象の画像を作成する。なお、フチなし印刷が指定されている場合は、印刷設定に設定されている印刷用紙サイズがフチなし拡大率で拡大されたレイアウト領域に印刷対象の画像がレイアウトされる。
【００６９】
Ｓ１００８においてＣＰＵ２０１は、上記のＳ１００６またはＳ１００７において画像メモリ２０６上に作成された印刷対象の画像をヘッド制御部２１３に出力する。そして、印刷ヘッド１１２、キャリッジ１１３を駆動させて当該印刷対象の画像を印刷媒体に印刷させる。
【００７０】
なお、上記Ｓ１００６またはＳ１００７において印刷対象の画像を作成するときに、印刷対象のデータがＪＰＥＧ画像ファイル等の画像データであれば伸長処理を行ってビットマップデータを画像メモリ２０６上に展開する。また印刷対象のデータがベクターデータの場合は画像メモリ２０６においてレンダリング処理を行い、画像メモリ２０６上にビットマップデータを展開する。
【００７１】
以上、図５のフローチャートが示す処理により、印刷設定に応じた大きさまたは用紙センサ１１８の検出結果に基づく大きさの画像が印刷装置１００により印刷される。
【００７２】
本実施形態では、用紙センサ１１８により検出された用紙幅と用紙サイズテーブルにより用紙サイズとして複数の候補が特定された場合、印刷装置１００の仕向け情報等の条件に従って印刷用紙のサイズを判定する。具体的には、印刷装置１００の仕向け情報、印刷に用いられる用紙の種別と図６に示すテーブルを比較することにより印刷用紙のサイズを判定する。
【００７３】
図６は、用紙サイズと優先度の関係を示す図である。
【００７４】
図６に示す優先度テーブル４００は、種別４０１、優先国４０２と、使用頻度４０３を含む。種別４０１は、各用紙サイズに対応する用紙種別（普通紙、光沢紙、封筒、はがき）を示す情報である。優先国４０２は、印刷装置１００が出荷または販売される国のうちの各用紙サイズが多く使用される国を示す地域情報である。なお、本実施形態では地域情報は国を示すが、国または地域のどちらでもよく、またその両方を示す場合であってもよい。このような地域情報を参照することにより、印刷装置１００が使用されている国または地域を特定することができる。さらに、国または地域により、印刷に使用される印刷用紙のサイズに傾向があるため、地域情報を参照することにより、印刷装置１００において使用される可能性が高い印刷用紙のサイズを特定することができる。
【００７５】
使用頻度４０３は、優先国４０２において使用される頻度を示す情報である。なお、本実施形態においては仕向け情報が示す国または地域として日本（ＪＰ）と米国（ＵＳ）が候補であるものとする。例えば、封筒洋形６号については、用紙サイズの種別は「封筒」に該当し、米国よりも日本で多く使われ、また日本における使用頻度は低いことを示す。さらにレターサイズについては、用紙サイズの種別は「その他」に該当し、日本よりも米国で多く使用され、また米国における使用頻度が中程度であることを示す。
【００７６】
なお、この優先度テーブル４００はプログラムメモリ２０３に格納されており、ＣＰＵ２０１は優先度テーブル４００をプログラムメモリ２０３からワークメモリ２０５に読み出すことで、優先度テーブル４００を参照することができる。また、印刷装置１００が出荷されるときに、出荷される国が印刷装置１００の仕向け情報として予めプログラムメモリ２０３に格納されている。
【００７７】
本実施形態では、印刷用紙のサイズとして複数の候補が特定された場合、ＣＰＵ２０１が印刷装置１００の仕向け情報や用紙の種別、優先度テーブル４００を参照して、当該複数の候補のうちの優先度が高い用紙サイズを、当該印刷用紙のサイズとして判定する。上記図５のＳ１００６におけるフィッティング処理では、このように印刷用紙のサイズを判定し、判定された印刷用紙のサイズに応じて印刷対象の画像を作成する。
【００７８】
図７は、図５のＳ１００６におけるフィッティング処理を示すフローチャートである。
【００７９】
Ｓ１１００においてＣＰＵ２０１は、用紙センサ１１８の用紙幅の検出結果に基づく印刷用紙のサイズとして図５のＳ１００５において特定された候補が一つのみであるか判定する。候補が一つのみの場合は、複数の候補からの絞り込み処理を行う必要がないため、後述するＳ１１０１〜Ｓ１１０７の処理が省略されてＳ１１０８の処理が実行される。一方、印刷用紙のサイズの候補が複数ある場合はＳ１１０１の処理が実行される。
【００８０】
Ｓ１１０１においてＣＰＵ２０１は、図５のＳ１００１において受信された印刷ジョブに対応する用紙種別（普通紙、光沢紙、はがき、封筒）を示す種別情報を特定する。用紙種別を特定する方法として、例えば印刷ジョブに含まれている印刷設定で指定されている用紙種別を参照する方法がある。その他にも、印刷ジョブを送信した機能（アプリケーション）を特定するための情報が印刷ジョブに含まれている場合には、その情報に応じて用紙種別を判定してもよい。例えば写真印刷用のアプリケーションにより発行された印刷ジョブであれば、用紙種別として「その他」を特定し、はがき印刷用のアプリケーションにより発行された印刷ジョブであれば用紙種別として「はがき」を特定してもよい。また、図５における印刷制御処理が特定の用途に応じた印刷（写真印刷、はがき印刷）である場合には、その用途に応じて用紙種別を特定してもよい。例えば写真印刷のための印刷が実行される場合には、用紙種別として「その他」が特定され、はがき印刷のための印刷が実行される場合には、用紙種別「はがき」が特定される。このようにＳ１１０１において用紙種別が特定されるとＳ１１０２に進む。
【００８１】
Ｓ１１０２においてＣＰＵ２０１は、優先度テーブル４００の種別４０１を参照して、図５のＳ１００５にて抽出された用紙サイズの複数の候補のうち、Ｓ１１０１において特定された用紙種別に該当する候補を抽出する。例えば用紙サイズの候補が「往復はがき」、「六切」、「Ａ４」、「レター」であり、Ｓ１１０１において当該印刷の用紙種別が「はがき」と特定された場合、「往復はがき」が抽出される。また用紙サイズの候補が「往復はがき」、「六切」、「Ａ４」、「レター」であり、用紙種別が「その他」と特定された場合、「六切」、「Ａ４」、「レター」が抽出される。
【００８２】
Ｓ１１０３においてＣＰＵ２０１は、Ｓ１１０２において用紙サイズの候補が一つに絞り込めたか判定する。候補が一つのみの場合Ｓ１１０８へ進む。一方、抽出された候補用紙サイズが一つだけではない場合Ｓ１１０４へ進む。
【００８３】
Ｓ１１０４においてＣＰＵ２０１は、印刷装置１００の仕向け情報をプログラムメモリ２０３から入力する。本実施形態では、印刷装置１００が出荷される仕向け国を示す仕向け情報がプログラムメモリ２０３に予め格納されており、ＣＰＵ２０１はその仕向け情報をワークメモリ２０５に読み出すことで印刷装置１００の仕向け国を参照できる。
【００８４】
Ｓ１１０５では、図６で説明した優先度テーブル４００の優先国４０２を参照する。そして、Ｓ１１０２において抽出された複数の候補から、Ｓ１１０４において取得された印刷装置１００の仕向け情報に該当する用紙サイズを抽出する。例えば上記のようにＳ１１０２において「六切」、「Ａ４」、「レター」が抽出されており、Ｓ１１０４で入力された仕向け情報が日本に対応するものであった場合、「六切」、「Ａ４」が抽出される。
【００８５】
Ｓ１１０６においてＣＰＵ２０１は、Ｓ１１０２において用紙サイズの候補が一つに絞り込めたか判定する。候補が一つのみの場合、Ｓ１１０８へ進む。一方、抽出された候補用紙サイズが一つだけではない場合、Ｓ１１０７へ進む。
【００８６】
Ｓ１１０７においてＣＰＵ２０１は、図６で説明した優先度テーブル４００の使用頻度４０３を参照し、Ｓ１１０５において抽出された複数の候補から、最も使用頻度が高い用紙サイズを抽出する。例えば上記のようにＳ１１０５において「六切」、「Ａ４」が抽出された場合、Ｓ１１０７において「Ａ４」が抽出される。Ｓ１１０７において用紙サイズが抽出されると、Ｓ１１０８に進む。
【００８７】
Ｓ１１０８においてＣＰＵ２０１は、フィッティング処理を実行する。具体的には、Ｓ１１０１〜Ｓ１１０７における処理により絞り込まれた用紙サイズに合わせて印刷データを作成する。例えば印刷対象が画像データであった場合、当該画像データに対応する画像を用紙サイズに応じて変倍することにより、用紙サイズに応じた印刷データを画像メモリ２０６上に作成する。また印刷対象がベクターデータの場合は、用紙サイズに応じて変倍処理を行い、変倍処理後のベクターデータに基づいて画像メモリ２０６上にビットマップデータを作成する。
【００８８】
さらに、以上の図７を用いて説明した処理について別のケースを例に説明する。例えば印刷装置１００で搬送されている印刷用紙のサイズの候補として図５のＳ１００３において「封筒洋形６号」、「はがき」、「４×６判」が検出されたとする。そして、図７のＳ１１０１において用紙種別「封筒」が特定された場合、Ｓ１１０２において用紙サイズ「封筒洋形６号」が上記印刷用紙のサイズとして判定される。また、図５のＳ１００３において用紙サイズ「Ｌ判」「封筒洋形６号」、「はがき」、「４×６判」が特定され、Ｓ１１０１において用紙種別「その他」が特定された場合、Ｓ１１０２において「Ｌ判」、「４×６判」が上記印刷用紙のサイズとして判定される。そしてＳ１００４において入力された印刷装置１００の仕向け情報が仕向け国「米国」に対応するものであった場合、「４×６判」が用紙サイズとして判定される。
【００８９】
以上のように、図７に示したフィッティング処理（図５のＳ１００６）によれば、図５のＳ１００３において用紙センサ１１８に基づき検出された用紙サイズの候補が複数あった場合に、印刷装置１００の仕向け情報等により用紙サイズを判定することができる。
【００９０】
従って、仮に用紙センサ１１８により印刷用紙のサイズを一意に特定できない場合でも、適切な用紙サイズを判定して、その判定された用紙サイズにあった大きさの印刷対象の画像を作成することができる。
【００９１】
また図７に示したように、用紙センサ１１８による用紙幅の検出結果により用紙サイズの複数の候補が特定された場合、複数の条件（用紙種別、仕向け情報、使用頻度等）により用紙サイズが絞り込まれる。具体的には、その複数の条件のうちの当該複数の候補に応じた条件により候補の絞り込みが行われることで、用紙サイズが一意に特定される。
【００９２】
なお、図７の例ではＳ１１０２、Ｓ１１０５、Ｓ１１０７のように複数の条件を順次用いて判定を行うことで候補の絞り込みを行っていたがこれに限らない。例えば用紙サイズの複数の候補と、当該複数の候補に対して上記の複数の条件で絞り込みを行ったときに絞り込まれる用紙サイズとが対応付けられているテーブルをプログラムメモリ２０３に予め用意する場合であってもよい。この場合、当該複数の候補を基にテーブルを参照することにより、複数の条件が考慮された用紙サイズを一意に特定することができる。またこのようなテーブルを用意する場合、印刷装置１００の仕向け地に応じたテーブルをプログラムメモリ２０３に記憶させておくことで当該仕向け地に応じた用紙サイズを特定することができる。他の方法として、複数の仕向け地に応じた複数のテーブルをプログラムメモリ２０３に記憶させ、用紙サイズの絞り込みの際に、当該印刷装置１００の仕向け地を確認して、当該仕向け地に対応するテーブルを参照するようにしてもよい。
【００９３】
また上記のテーブルの別の例として、複数の候補を絞り込むための複数の条件のうち、当該複数の候補の絞りこみが可能な条件を示すテーブルをプログラムメモリ２０３上に用意してもよい。例えば複数の候補が六切サイズ、Ａ４サイズ、レターサイズである場合、テーブルにおいて、仕向け情報と使用頻度が絞り込み可能な複数の条件として当該複数の候補に対応付けられて登録されている。また複数の候補がＬ判、封筒洋形６号が複数の候補である場合、用紙種別、使用頻度が絞り込み可能な複数の条件として当該複数の候補に対応付けられる。
【００９４】
なお、以上の説明では、印刷装置１００の仕向け情報がプログラムメモリ２０３に予め記憶されている例を示したが、これに限らない。例えばユーザが印刷装置１００を使用するときに、印刷装置１００が使用される国や地域を指定し、その指定された国や地域を示す仕向け情報がプログラムメモリ２０３に格納される場合であってもよい。
【００９５】
また、図６の例では優先度テーブル４００に予め各用紙サイズの使用頻度が含まれている例を示したがこれに限らない。例えば印刷装置１００において印刷が実行されるたびにＣＰＵ２０１が各用紙サイズの使用回数をカウントして、そのカウント値をプログラムメモリ２０３に記憶してもよい。そして、用紙サイズの複数候補から絞り込みを行うときに、プログラムメモリ２０３に記憶されているカウント値を使用頻度として参照する。これにより、各用紙サイズが印刷装置１００における実際の印刷で使用された使用回数を参照することができるため、印刷装置１００に個別に対応する使用頻度を用いて用紙サイズを判定することができる。
【００９６】
また図７の例においては、用紙サイズを判定するための条件として、用紙種別、優先国、使用頻度としているが、その他の条件として、印刷対象のデータの内容に応じて用紙サイズを判定してもよい。例えば印刷対象のデータを解析して、そのデータの印刷に使用される色がモノクロであった場合、Ｌ判等の主に写真の印刷に用いられる用紙サイズよりも、封筒等のテキストの印刷に用いられる用紙サイズを優先するようにしてもよい。
【００９７】
その他、例えば印刷対象のファイルの拡張子を取得し、その拡張子に応じて用紙サイズを判定してもよい。例えば拡張子が「．ｊｐｇ」であった場合、画像の内容が写真であると判断し、用紙サイズとしてＬ判等の主に写真の印刷に使用される用紙サイズを優先してもよい。
【００９８】
なお、以上の実施形態では、印刷装置１００の仕向け地域、また図６における優先度テーブル４００が示す地域の例として国を例に説明した。しかしこれに限らず、例えば複数の国を含む地域（アジア、北米、欧州など）や、国内において区分された地域（市、州等）を印刷装置１００の仕向け地域、優先度テーブル４００が示す地域としてもよい。さらに、以上の実施形態では、印刷装置１００の仕向け地域を示す仕向け情報により仕向け地域を特定する例を示した。しかしこれに限らず、印刷装置１００に設定されている言語設定等の各種の情報により、印刷装置１００の仕向け地域を特定してもよい。
【００９９】
さらに、上記図７に示す処理では、用紙サイズの絞り込みを行う際の判定処理の順序として、用紙種別による判定（Ｓ１１０２）、仕向け情報による判定（Ｓ１１０５）、使用頻度に基づく所定の優先順序による判定（Ｓ１１０７）の順に判定を行っていた。このように用紙種別による判定（Ｓ１１０２）を他の判定よりも優先することにより、当該印刷における印刷対象のデータに対して適切な印刷用紙のサイズをより確実に特定することができる。即ち、用紙種別はユーザによる設定やアプリケーションに応じて決定されるため、当該印刷において使用される印刷用紙の印刷用紙に合致している可能性が高い。よって、用紙種別をより優先的に参照することで、適切な印刷用紙のサイズをより確実に特定することができる。
【０１００】
しかし上記の順序に限らず、他の順序によって判定を行ってもよいし、また各種の条件により判定の順序を入れ替えるようにしてもよい。例えば、用紙センサにより検出された用紙幅により特定された印刷用紙のサイズの候補に応じて、判定の順序を入れ替えるようにしてもよい。具体的には、印刷用紙のサイズの候補としてＡ４、レターが特定された場合、Ｓ１１０５における仕向け情報による判定（Ｓ１１０５）を他の判定処理よりに優先して実行する。すると、この場合、仕向け情報による判定により、印刷用紙のサイズがＡ４、レターのいずれかに一意に特定されるため、Ｓ１１０２、Ｓ１１０７による判定処理を行わなくても、印刷用紙のサイズを特定することができる。別の例として、印刷用紙のサイズの候補として封筒洋形６号、はがき、４×６判が特定された場合、用紙種別による判定（Ｓ１１０２）を他の判定よりも優先するようにしてもよい。この場合、当該３つの候補のそれぞれに対応する用紙種別が異なるため、用紙種別により判定を行うことで、他の判定を行わなくても印刷用紙のサイズを一意に特定することができる。
【０１０１】
さらに、以上の実施形態では、用紙センサにより検出された用紙幅により特定された定型のサイズの候補から絞り込みを行い、定型のサイズを印刷用紙のサイズとして特定していた。しかしこれに限らず、用紙センサにより検出された用紙幅により定型のサイズの候補を特定し、その定型のサイズの候補に基づいて非定形のサイズを印刷用紙のサイズとして特定してもよい。
【０１０２】
例えば、図７のＳ１１０６における判定処理において、定型の候補サイズが１つに絞れていない場合、そのときの複数の候補と各種の条件により、非定形のサイズを特定してもよい。具体的には、当該印刷における印刷設定として、印刷用紙の縁に余白を設けないように印刷するための「フチなし印刷」が指定されているか否かにより、非定形のサイズを特定してもよい。「フチなし印刷」では、画像が印刷されたときに印刷用紙の縁に余白ができないように、印刷用紙のサイズよりも大きくなるよう印刷対象の画像を作成する。即ち、印刷用紙よりも大きな画像が印刷されることで、「フチなし印刷」を実現することができる。
【０１０３】
そこで、例えば「フチなし印刷」が指定されており、且つＳ１１０６における判定処理において定型のサイズの複数の候補がある場合を想定する。この場合に、その複数の候補の用紙幅のうちの最大の用紙幅、複数の候補の用紙長のうちの最大の用紙長を、非定形の印刷用紙のサイズとして特定する。これにより実際に印刷に使用される印刷用紙のサイズが上記複数の候補のいずれであっても、フチなし印刷を実現することができる。例えば、定型のサイズの候補としてＡ４、レターが含まれる場合、図７のＳ１１０６における判定では、Ａ４、レターが候補として残っているものと判定される。そこで、「フチなし印刷」が指定されている場合に、レターサイズの用紙幅、Ａ４サイズの用紙長を印刷用紙のサイズとして特定する。これによりＡ４、レターのいずれが印刷に用いられても、印刷用紙よりも大きな画像を印刷することができる。
【０１０４】
また逆に「フチなし印刷」が指定されていない場合、定型サイズの複数候補の用紙幅のうちの最小の用紙幅、複数候補の用紙長の最小の用紙長を非定形のサイズとして特定する。これにより、例えばユーザが印刷用紙の縁に余白を設けさせるために「フチなし印刷」をオフに設定していた場合、印刷用紙よりも小さな画像が印刷されるため、印刷用紙の縁に適切に余白を設けることができる。
【０１０５】
また以上の実施形態では、印刷装置１００が外部装置から印刷ジョブを受信したときに、印刷用紙の用紙サイズを判定して、判定された用紙サイズに応じた印刷を実行する例について説明した。しかしこれに限らず、印刷装置１００が備えるスキャナ２２０により読み取られたスキャン画像を印刷用紙に印刷させるコピー機能において、用紙サイズの判定を行ってもよい。
【０１０６】
図８は、コピー機能における印刷制御処理の一例を示すフローチャートである。図８に示すフローチャートの処理は、図５において示した処理と同様に、ＣＰＵ２０１により実行される。また図８に示すフローチャートの処理は、ユーザが印刷装置１００の操作パネル２１８を用いてコピー機能を選択し、コピー機能実行の指示がＣＰＵ２０１に入力されたときに実行される。
【０１０７】
Ｓ２０００においてＣＰＵ２０１は、パネル制御部２１７により、コピー機能におけるコピー設定やコピー開始をユーザが指定するための設定画面を操作パネル２１８の表示パネルに表示させる。コピー設定画面により設定される内容には、コピー機能において印刷される印刷用紙の用紙サイズ、印刷部数、印刷用紙において余白（フチ）を設けるか否の指定、印刷濃度等の設定が含まれる。なお、初期設定のコピー設定を示すコピー設定情報がプログラムメモリ２０３に記憶されており、ＣＰＵ２０１はコピー設定情報をデータメモリ２０４に読み出して、上記初期設定をコピー設定画面に表示させる。ユーザはそのデフォルト設定を変更することによりコピー設定を指示することができる。
【０１０８】
上記コピー設定には、スキャナ２２０により読み取られたスキャン画像の変倍（拡大または縮小）に関する変倍設定が含まれており、例えば「等倍設定」が指定された場合には、スキャン画像が変倍されずに印刷される。またユーザにより倍率指定がされた場合には、その指定された倍率でスキャン画像が変倍される。さらに「自動変倍」が指定された場合には、印刷装置１００に格納されている用紙の大きさに合うように変倍（フィッティング処理）が実行される。
【０１０９】
Ｓ２００１においてＣＰＵ２０１は、操作パネル２１８に対してユーザがコピー設定を指示したか判定する。コピー設定を指示したと判定された場合、Ｓ２００２に進み、コピー設定が指示されていないと判定された場合、Ｓ２００３に進む。
【０１１０】
Ｓ２００２においてＣＰＵ２０１は、操作パネル２１８に対してユーザが指定したコピー設定を示すコピー設定情報を、パネル制御部２１７を介して取得する。Ｓ２００２では、ＣＰＵ２０１が、データメモリ２０４に記憶されているコピー設定情報をユーザにより指定されたコピー設定情報に書き換える。Ｓ２００３では、ユーザによりコピー開始が指示されたか判定する。Ｓ２００２でコピー開始が指示されたと判定されるとＳ２００４へ進み、コピー開始指示が指示されたと判定されなかった場合にはＳ２００１に戻る。Ｓ２００４においてＣＰＵ２０１は、スキャナ制御部２１９によりスキャナ２２０に原稿を読み取らせる。
【０１１１】
次にＳ２００５においてＣＰＵ２０１は、データメモリ２０４に記憶されているコピー設定情報において「自動変倍」が指定されているか判定する。Ｓ２００５において「自動変倍」が指定されていないと判定された場合、Ｓ２００６において、コピー設定情報における変倍設定に従って印刷対象の画像を画像メモリ２０６上に作成する。
【０１１２】
一方、Ｓ２００５において「自動変倍」が指定されていると判定された場合には、Ｓ２００７〜Ｓ２０１０の処理が実行される。Ｓ２００７〜Ｓ２０１０では、印刷装置１００において搬送されている印刷用紙のサイズが判定され、Ｓ２００４における読取りにより取得されたスキャン画像が、判定された用紙サイズに応じて変倍される。このＳ２００７〜Ｓ２０１０の処理は、図５を用いて上述したＳ１００３〜Ｓ１００６の処理と同様であるため、詳細な説明は省略する。
【０１１３】
Ｓ１００８においてＣＰＵ２０１は、上記のＳ２００６またはＳ２０１０において画像メモリ２０６上に作成された印刷対象の画像をヘッド制御部２１３に出力する。そして、印刷ヘッド１１２、キャリッジ１１３を駆動させて当該印刷対象の画像を印刷媒体に印刷させる。
【０１１４】
以上、図８に示した処理では、コピー設定情報における変倍設定が「自動変倍」である場合に、用紙センサ１１８に基づき判定された、印刷装置１００において搬送されている用紙サイズに応じた大きさの画像を印刷させることができる。
【０１１５】
また、図８のＳ２００７において用紙センサ１１８に基づき検出された用紙サイズの候補が複数あった場合に、印刷装置１００の仕向け情報等により用紙サイズを判定することができる。従って、仮に用紙センサ１１８により印刷用紙のサイズを一意に特定できない場合でも、適切な用紙サイズを判定して、その判定された用紙サイズにあった印刷データを作成することができる。
【０１１６】
以上の実施形態によれば、用紙センサ１１８により検出された用紙幅により用紙サイズの複数の候補が特定された場合、複数の条件（用紙種別、仕向け情報、使用頻度等）のうちの当該複数の候補に対応する１または複数の条件により用紙サイズが絞り込まれる。
【０１１７】
よって、仮に１つの条件では候補を一意に絞り込みこめない場合でも、複数の条件を参照することにより、用紙サイズを一意に特定することができる。また、第１の条件において複数の候補が同列の優先度である場合、別の第２の条件が参照されるため、第１の条件で絞り込みを行ってしまい、結果適切でない用紙サイズを特定してしまうことを防ぐことができる。
【０１１８】
なお、以上の実施形態では、印刷装置１００の外部装置から受信された印刷ジョブに基づく印刷や、印刷装置１００においてコピー機能が実行されたときに、用紙センサ１１８の検出結果に基づいて印刷用紙のサイズを判定する例を示した。しかしこれに限らず、例えばメモリカードスロット２２２に装着されたメモリカード２２３に記憶されている画像を、ユーザが操作パネル２１８において設定した印刷設定に従って印刷するときに、上記の印刷用紙サイズの判定処理を実行してもよい。例えばユーザが指定した印刷設定を示す印刷設定情報において用紙サイズが指定されていなかった場合に、上記のサイズ判定処理を行ってもよい。なお、印刷設定情報において用紙サイズが指定されていなかった場合とは、印刷設定情報に用紙サイズが含まれていない場合でもよい。また、用紙センサ１１８による用紙幅の検知結果に応じた用紙サイズの設定処理を実行させるための指示が印刷設定情報に含まれている場合でもよい。
【０１１９】
また、このように印刷装置１００においてユーザが指定した印刷設定に従って印刷を行う場合、メモリカード２２３のような外部メモリに限らず、印刷装置１００が備える内部メモリに記憶されている画像を印刷する場合であってもよい。また、印刷装置１００とネットワークを介して接続されたサーバ等の外部装置に格納されている画像を、印刷装置１００の操作パネル２１８においてユーザが指定した印刷設定に従って印刷する場合であってもよい。
【０１２０】
さらに、以上の実施形態では印刷装置１００の用紙センサ１１８が用紙の幅を検出する例を示したが、これに限らず、センサにより用紙の長さが検出される場合でもよいし、または用紙の幅、長さの両方が検出される場合であってもよい。いずれの検出方法であっても、印刷装置１００において用いられる印刷用紙のサイズとして複数の候補があった場合に、以上の実施形態で示した処理により適切な用紙サイズを判定することができる。
【０１２１】
また、以上の実施形態では、図７で示した用紙サイズの判定処理を印刷装置１００が備えるＣＰＵ２０１が情報処理装置として実行する例を示した。しかしこれに限らず、印刷装置１００に接続され当該印刷装置に印刷を実行させるホストコンピュータやサーバ等の情報処理装置が本実施形態における印刷制御装置として動作することで、本実施形態の処理が実行される場合であってもよい。
【０１２２】
具体的には、ホストコンピュータやサーバ、スマートデバイスが印刷装置１００に印刷ジョブを送信するときに、図５におけるＳ１００１〜Ｓ１００７の処理を実行する。即ち、これらの装置が印刷装置１００に印刷ジョブを送信するときに、印刷装置１００の用紙センサ１１８により検出された印刷用紙の用紙幅の情報を取得する。そして、その取得された情報が示す用紙幅に応じて印刷用紙のサイズの候補を特定し、特定された候補と設定用紙サイズによりレイアウト領域を決定する。そして、ホストコンピュータやサーバ、スマートデバイスが備えるメモリ上において、レイアウト領域に対して印刷対象の画像を展開し、展開された画像を印刷装置１００に印刷ジョブとして送信し、印刷装置１００に印刷を実行させる。具体的には、印刷装置１００のＣＰＵ２０１の制御により、ホストコンピュータやサーバ、スマートデバイスから受信した画像を印刷装置１００内の印刷機構が印刷用紙に印刷する。
【０１２３】
またホストコンピュータやサーバ、スマートデバイスにおいて本実施形態の処理を行う場合の別の例として、図７のＳ１１０１〜Ｓ１１０７におけるレイアウト領域のサイズの決定までを上記装置で行ってもよい。この場合、Ｓ１１０８における印刷対象の画像の変倍については、印刷装置１００のＣＰＵ２０１により実行される。印刷装置１００と、ホストコンピュータ、サーバ、スマートデバイス等の装置とにおける処理の分担については、他にも種々の構成を本実施形態に適用することができる。
【０１２４】
さらに、例えばホストコンピュータが上記の実施形態で説明した処理を実行する場合、印刷装置１００の仕向け情報を印刷装置１００から取得しなくてもよい。例えば、ホストコンピュータにインストールされているプリンタドライバやアプリケーションといった印刷装置１００に印刷を実行させるためのソフトウェアにおける設定情報を用いて仕向け地域を特定してもよい。具体的には、上記のソフトウェアにおける言語設定を示す言語情報や使用国設定に応じて印刷装置１００が使用される地域を特定し、特定された地域を上記実施形態における印刷装置１００の仕向け地域として用紙サイズの判定を行ってもよい。
【０１２５】
また以上の実施形態では、印刷装置により画像が印刷される印刷媒体の例として印刷用紙を例に説明したが、これに限らず、ＯＨＰシートであってもよいし、またＣＤやＤＶＤ等の記録メディアであってもよい。このような印刷媒体のサイズに対応する地域情報や種別、使用頻度を参照することで、本実施形態の処理を実行することができる。
【０１２６】
なお、本実施形態の機能は以下の構成によっても実現することができる。つまり、本実施形態の処理を行うためのプログラムコードをシステムあるいは装置に供給し、そのシステムあるいは装置のコンピュータ（またはＣＰＵやＭＰＵ）がプログラムコードを実行することによっても達成される。この場合、記憶媒体から読み出されたプログラムコード自体が上述した実施形態の機能を実現することとなり、またそのプログラムコードを記憶した記憶媒体も本実施形態の機能を実現することになる。
【０１２７】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。
【符号の説明】
【０１２８】
１００  印刷装置
２０１  ＣＰＵ
２０３  プログラムメモリ
２０４  データメモリ
【図１】
2015009481.tif 000003
【図２】
2015009481.tif 000004
【図３】
2015009481.tif 000005
【図４】
2015009481.tif 000006
【図５】
2015009481.tif 000007
【図６】
2015009481.tif 000008
【図７】
2015009481.tif 000009
【図８】
2015009481.tif 000010